(57)【要約】      （修正有）【課題】刃を用いて糸を片手のみで簡便に切ることができ、かつ、刃を交換可能な、糸切カッタを提供すること。【解決手段】糸切カッタは、平面状の底面１０ａから上面に貫通する、刃を挿入可能な孔部１０ｃが形成されたベース１０、ベース１０に固定され、孔部１０ｃに挿入された刃を刃の刃先を平面に平行な一軸方向の一側に向けて係止するカバーを備える。糸切カッタは、刃をさらに備えてもよい。刃をベース１０の孔部１０ｃに挿入し、刃を係止部材により係止することにより、相対的に一軸方向の一側から他側に一軸方向に交差する方向に張った糸を引くことで、片手のみで刃を用いて糸を切ることができる。【選択図】図１
0003209977.tif 000002
【実用新案登録請求の範囲】
【請求項１】
刃を用いて糸を切る糸切カッタであって、
平面状の底面と、略平面上の上面と、前記底面から前記上面に貫通し前記刃を挿入可能な孔部とを有するベースと、
前記ベースに固定され、前記孔部に挿入された前記刃を該刃の刃先を前記平面に平行な一軸方向の一側に向けて係止する係止部材を有するカバーと、
を備えることを特徴とする糸切カッタ。
【請求項２】
前記係止部材は、前記刃の前記一軸方向の他側を係止する第１の溝部を有することを特徴とする、請求項１に記載の糸切カッタ。
【請求項３】
前記カバーは、前記刃の前記平面に垂直な方向の端部を係止する第２の溝部を有することを特徴とする、請求項１又は２に記載の糸切カッタ。
【請求項４】
前記カバーは、前記第２の溝部を下面に有し前記下面が前記平面に略平行な柱状の張出部を含むことを特徴する、請求項３に記載の糸切カッタ。
【請求項５】
前記ベースの孔部は、前記一軸方向に延び、
前記ベースは、前記孔部の一部の幅を狭める突起を有することを特徴とする、請求項１から４のいずれか一項に記載の糸切カッタ。
【請求項６】
前記ベースは、外縁部に円弧状の凹部を有することを特徴とする、請求項１から５のいずれか一項に記載の糸切カッタ。
【請求項７】
前記刃をさらに備えることを特徴とする、請求項１から６のいずれか一項に記載の糸切カッタ。
【請求項８】
前記刃は、前記一軸方向を長辺とする平行四辺形状を有し、該平行四辺形の斜辺の１つに前記刃先を有し、
前記第１の溝部の内面は、前記平行四辺形の斜辺と平行に前記平面に対して傾斜する、請求項７に記載の糸切カッタ。
【請求項９】
前記刃は、カッターナイフの一片であることを特徴とする、請求項８に記載の糸切カッタ。
【考案の詳細な説明】
【技術分野】
【０００１】
本考案は、刃を用いて糸を切る糸切カッタに関する。
【背景技術】
【０００２】
魚釣りにおいて釣り糸を切断する切断具が利用される。切断具として、例えば特許文献１には、対向して設けられた一対の板体を有し、その一端部に刃を有し、他端部は向かい合わせたまま接近し、合掌状に合わされて、一体的に止着された接合部が形成された釣り糸用ラインカッタが開示されている。一方の手で釣り糸を持ち、片方の手で釣り糸用ラインカッタを持って、２つの刃の間に釣り糸を狭圧することで、切る。
【０００３】
しかし、特許文献１に開示された釣り糸用ラインカッタを用いて釣り糸を切るためには、ラインカッタを把持する手と釣り糸を把持する手との両手を使用する。片手のみで切れるものではない。
【０００４】
また、糸を切るカッタにおいては、刃が他の部材よりも短期間で損傷（劣化）するので、刃が安価でありかつ交換可能であることが好ましい。
【先行技術文献】
【特許文献】
【０００５】
【特許文献１】特開２００６−０４２６３２号公報
【考案の概要】
【考案が解決しようとする課題】
【０００６】
本考案は、刃を用いて糸を片手のみで簡便に切ることができ、かつ、刃を交換可能な、糸切カッタを提供することを課題とする。
【課題を解決するための手段】
【０００７】
本考案の糸切カッタは、
刃を用いて糸を切る糸切カッタであって、
平面状の底面と、略平面上の上面と、前記底面から前記上面に貫通し前記刃を挿入可能な孔部とを有するベースと、
前記ベースに固定され、前記孔部に挿入された前記刃を該刃の刃先を前記平面に平行な一軸方向の一側に向けて係止する係止部材を有するカバーと、
を備えることを特徴とする。
【０００８】
この特徴によれば、ベースの孔部に刃を挿入し、刃先を平面に平行な一軸方向の一側に向けてベースに固定された係止部材により係止することで、相対的に一軸方向の一側から他側に一軸方向に交差する方向に張った糸を送り出して、刃を用いて糸を切ることができる。また、ベースの平面上の底面を被固定面上に固定に、例えば両面テープを用いてこていすることが容易である。また、平面状の底面を被固定面に両面テープ等で固定し、糸を把持する片手のみで糸を切ることができる。
【０００９】
本考案の糸切カッタは、
前記係止部材は、前記刃の前記一軸方向の他側を係止する第１の溝部を有することを特徴とする。
【００１０】
この特徴によれば、係止部材の第１の溝部により刃の一軸方向の他側を係止することで、刃を位置決めし、糸を切る際の刃の移動を防止することができる。
【００１１】
本考案の糸切カッタは、
前記カバーは、前記刃の前記平面に垂直な方向の端部を係止する第２の溝部を有することを特徴とする。
【００１２】
この特徴によれば、係止部材の第２の溝部に刃の平面に垂直な方向の端部を係止することで、平面状の底面を被固定面に両面テープ等で固定した際に、係止部材の第２の溝部と両面テープ等とによって、平面に垂直な方向について位置決めして係止することができる。
【００１３】
本考案の糸切カッタは、
前記カバーは、前記第２の溝部を下面に有し前記下面が前記平面に略平行な柱状の張出部を含むことを特徴する。
【００１４】
この特徴によれば、ベースの上面と略平行な張出部を含むことで、ベースの上面と張出部との間に糸を挿入して切ることができる。
【００１５】
本考案の糸切カッタは、
前記ベースの孔部は、前記一軸方向に延び、
前記ベースは、前記孔部の一部の幅を狭める突起を有することを特徴とする。
【００１６】
この特徴によれば、ベースの孔部は一軸方向に拡がり、ベースは孔部の一部の幅を狭める突起を有することで、刃を挿入可能な孔部の遊びを制限し、一軸方向に対する刃の角度の変動を抑制することができる。
【００１７】
本考案の糸切カッタは、
前記ベースは、外縁部に円弧状の凹部を有することを特徴とする。
【００１８】
この特徴によれば、ベースが外縁部に円弧状の凹部を有することで、例えば両面テープを用いてベース（糸切カッタ）を被固定物に固定した際に凹部にコインを挿入してベース（糸切カッタ）を剥離することができる。その結果、刃を交換することができる。
【００１９】
本考案の糸切カッタは、
前記刃をさらに備える、ことを特徴とする。
【００２０】
この特徴によれば、刃を備えた糸切カッタが提供される。
【００２１】
本考案の糸切カッタは、
前記刃は、前記一軸方向を長辺とする平行四辺形状を有し、該平行四辺形の斜辺の１つに前記刃先を有し、
前記第１の溝部の内面は、前記平行四辺形の斜辺と平行に前記平面に対して傾斜することを特徴とする。
【００２２】
この特徴によれば、刃は平行四辺形の斜辺の１つに刃先を有し、平面に対して鋭角に傾斜する係止部材の第１の溝部に、刃先を有する斜辺の対辺を係止することで、刃先を一軸方向の一側及びベース向きに向けて刃を一軸方向に位置決めして固定することができる。
【００２３】
本考案の糸切カッタは、
前記刃は、カッターナイフの一片であることを特徴とするタ。
【００２４】
この特徴によれば、安価な刃を適宜替えて使用することができる。
【考案の効果】
【００２５】
本考案によれば、刃を用いて糸を片手のみで簡便に切ることができ、かつ、刃を交換可能な、糸切カッタを提供することができる。
【図面の簡単な説明】
【００２６】
【図１】図１は、ベースの構成を示す図である。
【図２】図２は、カバーの構成を示す図である。
【図３】図３は、糸切カッタの構成を示す図である。
【図４】図４は、刃の装着を示す図である。
【考案を実施するための形態】
【００２７】
以下、本考案の実施形態について説明する。
【００２８】
糸切カッタ１は、刃３０を用いて糸を切る切断具であり、ベース１０及びカバー２０を備える。なお、糸の種類、太さ等に応じて刃３０を替えることにより、糸切カッタ１により釣り糸（テグス）、裁縫糸等、任意の糸を切断することができる。
【００２９】
図１に、ベース１０の構成を示す。ベース１０は、底面１０ａ、上面１０ｂ、孔部１０ｃ、突起１１及び凹部１２を有する。図１（Ａ）は上面１０ｂ側から見た図、図１（Ｂ）は底面１０ａ側から見た図、図１（Ｃ）は図１（Ａ）におけるＣ方向に見た図、図１（Ｄ）は図１（Ａ）におけるＤ方向に見た図である。
【００３０】
底面１０ａは平面状に成形されている。これにより、底面１０ａを被固定面４０に固定することが、例えば両面テープによって容易に可能である。
【００３１】
上面１０ｂは、底面１０ａに平行な面である。底面１０ａと上面１０ｂとの間の周縁はテーパ状に傾いている。ただし、周縁の形状は任意に設計してよい。
【００３２】
孔部１０ｃは、図面左右方向に延び、図面右側が略円形状に拡がり、底面１０ａから上面に貫通する。孔部１０ｃに刃３０を挿入するものである。
【００３３】
一対の突起１１は、互いに対向する孔部１０ｃの内面のそれぞれに設けられ、孔部１０ｃの一部の幅を狭めている。一対の突起１１の間隔は、刃３０の厚みに等しく又はそれよりやや大きく、一対の突起１１により孔部１０ｃ内で刃３０を把持する。
【００３４】
凹部１２は、その側面１２ｂが円弧状である。また、凹部１２の上には凸部１２ａが設けられている。例えばベース１０の底面を両面テープにより被固定面に付着した場合に、凹部１２にコインを挿入し、コインを周回して凸部１２ａを押し上げることで被固定面からベース１０を引き剥がすことができる。図１（Ｄ）に示すように、円弧状の凹部１２ｂがあり、そこにコインを挿入し、上方の凸部１２ａを押し上げることができる。
【００３５】
図２に、カバー２０の構成を示す。図２（Ａ）は上面側から見た図、図２（Ｂ）は底面側から見た図、図２（Ｃ）は図２（Ａ）におけるＣ方向に見た図である。カバー２０は、刃３０を係止する部分である。カバー２０は、カバー本体２１、張出部２２、突起２３及び係止部材２４を有する。
【００３６】
カバー本体２１は、孔部１０ｃの図面右側の略円形状の箇所を被覆している。
【００３７】
張出部２２は、カバー本体２１の図面左端から図面左側に張り出す柱状の部材であり、ベース１０の上面１０ｂから上方に離間して、その下面に図面左右方向に延びる第２の溝部２２ａが形成されている。張出部２２の先端下面は、基端から先端に向かってベース１０から離間する方向に傾いている。張出部２２は、孔部１０ｃの図面左側の矩形状の箇所を被覆している。
【００３８】
張出部２２とベース１０の上面１０ｂとの間に糸を図面左側から挿入すると、糸が刃によって切られる。
【００３９】
一対の突起２３は、ベース１０の突起１１の上部に設けられている。ベース１０の突起１１とカバー２０の突起２３とを合わせ、一連の突起として刃３０を把持する。
【００４０】
係止部材２４は、側面視台形状を有し、その斜辺に第１の溝部２４ａが形成される部材である。ここで、第１の溝部２４ａは、その内面を底面１０ａに対して鋭角に（図面下方を向けて）傾斜する。係止部材２４は、第１の溝部２４ａを図面左方に向けて逆側端部を側面１２に接続して、空洞２１ａ内に配置される。第１の溝部２４ａにより、刃３０の刃先３１を有する斜辺の対辺を係止することで、刃３０を図面右方向に移動させずに糸を安定して切ることができる。
【００４１】
図３に糸切カッタ１の構成を示す。図３（Ａ）は上面側から見た図、図３（Ｂ）は底面側から見た図、図３（Ｃ）は図３（Ａ）におけるＣ方向に見た図である。糸切カッタ１は、ベース１０とカバー２０とから構成され、ベース１０とカバー２０とは一体に成形されている。ベース１０とカバー２０とは別々の部材ではなく、全体として１の糸切カッタ１を構成する。本明細書では機能を示すために便宜的にベースとカバーとに分けて説明しているものである。ベース１０を被固定面４０に固定することで、糸切カッタ１の全体が固定される。
【００４２】
図３（Ｃ）に示すように、ベース１０の上面１０ｂとカバー２０の張出部２２とは、略平行に配されている。後述のように、ベース１０の上面１０ｂとカバー２０の張出部２２との間に刃３０を配し、糸を挿入して切ることができる。
【００４３】
図４に刃の装着を示す。図４（Ａ）は図３（Ｃ）に刃３０を破線で追加した図、図４（Ｂ）は刃の装着部を示す図であり、図３（Ｂ）のＳ−Ｓ線断面に係るものである。
【００４４】
図４（Ｂ）に示すように、刃３０は平行四辺形状であり、上辺が第２の溝部２２ａに、下辺が被固定面４０に、図面上右側の斜辺が第１の溝部２４ａに係止されている。
【００４５】
刃３０は、図面上下方向には第２の溝部２２ａと被固定面４０（両面テープによって固定した場合には両面テープ４０）によって係止され、第２の溝部２２ａと被固定面４０との距離が刃３０の高さと一致すれば固定される。
【００４６】
刃３０は、図面左右方向には第１の溝部２４ａによって図面右方向への移動を防止される。この状態において張られた糸を張出部２２とベース１０の間で図面右方向に引いて糸を切ることができる。
【００４７】
刃３０は、図面垂直方向（図の手前側及び奥側の図に表れない方向）には、突起１１及び２３によって係止される。第１の溝部２４ａ及び第２の溝部２２ａによっても係止されるが、突起１１及び２３によって確実に係止する。
【００４８】
以上に述べたように、刃３０は係止されており、刃先３１は係止のないベース１０の上面１０ｂとカバー２０の張出部２２との間に存在する。ベース１０の上面１０ｂとカバー２０の張出部２２との間に糸を挿入して切ることができる。
【００４９】
糸切カッタ１は被固定面４０固定されており、糸切カッタ１を把持せずに片手のみで糸を引いて切ることが可能である。
【００５０】
糸切カッタ１を固定する被固定面４０は、任意に選択することができるが、釣糸を切るのであれば、釣具入れの容器の側面を用いることができる。また、裁縫の意図を切るのであれば、裁縫台の上面とすることができる。その他、用途によらずに、衣服のボタン糸に掛ける板などを用いることもできる。
【００５１】
糸切カッタ１を被固定面４０に固定するには、底面１０ａが平面であるので、両面テープを用いることができる。この場合、図４において被固定面４０として示した箇所には両面テープがあることになる。
【００５２】
両面テープを用いる場合、凹部１２にコインを挿入し、コインを周回して凸部１２ａを押し上げることで被固定面から糸切カッタ１を引き剥がすことができる。刃３０（刃先３１）が他の部分よりも短時間で劣化するので、刃３０を交換するためである。また、刃３０は、例えば、カッターナイフの一片であるとする。それにより、安価な刃３０を用い、適宜交換することができる。
【００５３】
以上詳細に説明したように、本実施形態に係る糸切カッタ１は、平面状の底面１０ａを被固定面４０に容易に固定することができ、片手のみで刃３０を用いて糸を切ることができる。また、刃３０を適宜交換することができる。
【産業上の利用可能性】
【００５４】
刃を用いて糸を片手のみで簡便に切ることができ、かつ、刃を交換可能な、糸切カッタである。多くの釣人、裁縫愛好者等による利用が考えられる。
【符号の説明】
【００５５】
１    糸切カッタ
１０    ベース
１０ａ  底面
１０ｂ  上面
１０ｃ  孔部
１１    突起
１２    凹部
１２ａ  凸部
２０    カバー
２１    カバー本体
２２    張出部
２２ａ  第２の溝部
２３    突起
２４    係止部材
２４ａ  第１の溝部
３０    刃
３１    刃先
４０    被固定面（両面テープ)
【図１】
0003209977.tif 000003
【図２】
0003209977.tif 000004
【図３】
0003209977.tif 000005
【図４】
0003209977.tif 000006
【手続補正書】
【提出日】平成29年2月15日(2017.2.15)
【手続補正１】
【補正対象書類名】実用新案登録請求の範囲
【補正対象項目名】全文
【補正方法】変更
【補正の内容】
【実用新案登録請求の範囲】
【請求項１】
刃を用いて糸を切る糸切カッタであって、
平面状の底面と、略平面上の上面と、前記底面から前記上面に貫通し前記刃を挿入可能な孔部とを有するベースと、
前記ベースに固定され、前記孔部に挿入された前記刃を該刃の刃先を前記平面に平行な一軸方向の一側に向けて係止する係止部材を有するカバーと、
を備えることを特徴とする糸切カッタ。
【請求項２】
前記係止部材は、前記刃の前記一軸方向の他側を係止する第１の溝部を有することを特徴とする、請求項１に記載の糸切カッタ。
【請求項３】
前記カバーは、前記刃の前記平面に垂直な方向の端部を係止する第２の溝部を有することを特徴とする、請求項１又は２に記載の糸切カッタ。
【請求項４】
前記カバーは、前記第２の溝部を下面に有し前記下面が前記平面に略平行な柱状の張出部を含むことを特徴する、請求項３に記載の糸切カッタ。
【請求項５】
前記ベースの孔部は、前記一軸方向に延び、
前記ベースは、前記孔部の一部の幅を狭める突起を有することを特徴とする、請求項１から４のいずれか一項に記載の糸切カッタ。
【請求項６】
前記ベースは、外縁部に円弧状の凹部を有することを特徴とする、請求項１から５のいずれか一項に記載の糸切カッタ。
【請求項７】
前記刃をさらに備えることを特徴とする、請求項１から６のいずれか一項に記載の糸切カッタ。
【請求項８】
前記刃は、前記一軸方向を長辺とする平行四辺形状を有し、該平行四辺形の斜辺の１つに前記刃先を有し、
前記係止部材は、前記刃の前記一軸方向の他側を係止する第１の溝部を有し、
前記第１の溝部の内面は、前記平行四辺形の斜辺と平行に前記平面に対して傾斜する、請求項７に記載の糸切カッタ。
【請求項９】
前記刃は、カッターナイフの一片であることを特徴とする、請求項８に記載の糸切カッタ。